(57)【特許請求の範囲】
【請求項１】
コンテンツの検索と再生情報を表示する表示装置と、前記表示装置の検索と再生情報の表示を制御する制御装置と、前記制御装置に前記表示装置の表示操作を指示する遠隔操作装置とを備えた情報検索再生装置において、
前記制御装置は、複数の映像情報をリスト状に表示するコンテンツ表示エリアと、当該コンテンツ表示エリアに表示されるコンテンツが含まれる下位階層の検索項目を選択可能に表示する第２検索エリアと、当該第２検索エリアに表示される前記下位階層の検索項目の上位階層の検索項目を選択可能に表示する第１検索項目エリアと、を前記表示装置の１つの画面に表示し、
前記遠隔操作装置は、前記第１検索項目エリアに選択可能に表示される前記上位階層の検索項目を選択する第１検索キーと、前記第２検索項目エリアに選択可能に表示される前記下位階層の検索項目を選択する第２検索キーと、前記コンテンツ表示エリアに選択可能に表示されるコンテンツを選択するコンテンツ選択キーと、当該選択されたコンテンツの決定操作を実行させるコンテンツ決定キーとをそれぞれ独立して備え、
前記制御装置は、
前記第１検索キーの操作により、前記第１検索項目エリアでの前記上位階層の検索項目の選択を受け付けて、当該選択された上位階層の検索項目が選択されていることを示す表示を行い、当該選択された上位階層の検索項目の下層階層の検索項目を前記第２検索項目エリアに選択可能に表示し、
前記第２検索キーの操作により、前記第２検索項目エリアでの下位階層の前記検索項目の選択を受け付けて、当該選択された下位階層の検索項目が選択されていることを示す表示を行い、当該選択された下位階層の検索項目の条件を備えたコンテンツを前記コンテンツ表示エリアに選択可能に表示し、
前記コンテンツ選択キーの操作により、前記コンテンツ表示エリアでのコンテンツの選択を受け付けて、当該選択されたコンテンツが選択されていることを示す表示を行い、
前記決定キーの操作により、前記コンテンツ表示エリアで選択されているコンテンツに予め設定されている所定の決定操作を実行させることを特徴とする情報検索再生装置。
【請求項２】
前記請求項１記載の情報検索再生装置において、
前記制御装置は、前記第１検索項目エリアと前記第２検索エリアと前記コンテンツ表示エリアに加えて、前記コンテンツ表示エリアで選択されているコンテンツの詳細情報を表示する詳細表示エリアと、前記コンテンツ決定キーの前記決定操作以前のコンテンツを表示するサブ表示エリアとを前記表示装置の１つの画面に表示する
ことを特徴とする情報検索再生装置。
【請求項３】
前記請求項１または２記載の情報検索再生装置において、
前記遠隔操作装置に、前記コンテンツ表示エリアの表示内容をスクロール表示するスクロールキーを備えている
ことを特徴とする情報検索再生装置。
【請求項４】
コンテンツの検索と再生情報を表示する表示装置と、前記表示装置の検索と再生情報の表示を制御する制御装置と、前記制御装置に前記表示装置の表示操作を指示する遠隔操作装置とを備えた情報検索再生装置の表示方法において、
前記表示装置の１つの表示画面に、
複数の映像情報をリスト状に表示するコンテンツ表示エリアと、
当該コンテンツ表示エリアに表示されるコンテンツが含まれる下位階層の検索項目を選択可能に表示する第２検索エリアと、
当該第２検索エリアに表示される前記下位階層の検索項目の上位階層の検索項目を選択可能に表示する第１検索項目エリアとを表示し、
前記遠隔操作装置に設けた第１検索キーの操作に基づいて、
前記第１検索項目エリアに表示される前記上位階層の検索項目の選択を受け付けて、当該選択された上位階層の検索項目が選択されていることを示す表示を行うとともに、
前記第１検索項目エリアで選択される前記上位階層の検索項目に該当する下層階層の検索項目を前記第２検索項目エリアに表示し、
かつ、前記コンテンツ表示エリアには、
前記第２検索項目エリアで選択されている前記下位階層の検索項目に該当する下層階層のコンテンツをリスト表示し、
前記遠隔操作装置に設けた第２検索キーの操作に基づいて、
前記第２検索項目エリアに表示される前記下位階層の検索項目の選択を受け付けて、当該選択された下位階層の検索項目が選択されていることを示す表示を行うとともに、
前記第２検索項目エリアで選択されている前記下位階層の検索項目に該当する下層階層のコンテンツを前記コンテンツ表示エリアにリスト表示し、
前記遠隔操作装置に設けたコンテンツ選択キーの操作に基づいて、
前記コンテンツ表示エリアに表示されているコンテツンツの選択を受け付けて、当該選択されたコンテンツが選択されていることを示す表示を行い、
前記遠隔操作装置に設けた前記コンテンツ決定キーの操作に基づいて、
前記コンテンツ表示エリアで選択されているコンテンツに予め設定された所定の決定操作を実行することを特徴とする情報検索再生装置の表示方法。
【請求項５】
前記請求項４記載の情報検索再生装置の表示方法において、
前記表示装置の１つの画面に、前記第１検索項目エリアと前記第２検索エリアと前記コンテンツ表示エリアに加えて、前記コンテンツ表示エリアで選択されているコンテンツの詳細情報を表示する詳細表示エリアと、前記コンテンツ決定キーの前記決定操作以前のコンテンツを表示するサブ表示エリアとを表示する
ことを特徴とする情報検索再生方法。
【請求項６】
前記請求項４または５記載の情報検索再生装置の表示方法において、
前記遠隔操作装置に設けたスクロールキーの操作に基づいて、前記コンテンツ表示エリアの表示内容をスクロール表示する
ことを特徴とする情報検索再生装置の表示方法。
【発明の詳細な説明】
【０００１】
【発明の属する技術分野】
本発明は、テレビジョン受像機の番組や記録再生装置に格納された各種のコンテンツを簡単に抽出することができる情報検索再生装置及びその表示方法に関するものである。
【０００２】
【従来の技術】
近年、放送衛星や通信衛星あるいはケーブルＴＶなどの普及にともない、デジタル化した映像情報と番組情報などを受信できるデジタル放送サービスが普及してきている。このサービスにおいては、多数のチャンネルから希望するチャンネルを簡単に選択することができるシステムが望まれている。これに対応するため、このシステムでは、ＥＰＧと呼ばれる電子番組ガイドを採用し、伝送されてくるチャンネル番号、番組の放送時間、番組名、番組内容、出演者などから、家庭のテレビで電子化されたテレビ番組表を再生し、このテレビ番組表から任意の番組を検索して、これをテレビで視聴することができる。
【０００３】
一方、近年の映像記録技術の発展により、多数の映像情報をＨＤＤ（ハードデイスク装置）やＤＶＤ（デジタルビデオデイスク装置）に記録することができる。
【公知文献１】
特開平０７−２４０８８１号
【公知文献１】
特開平１１−２２０６７５号
【公知文献１】
特開２００１−１３６４５４号
【発明が解決しようとする課題】
従来のテレビ受像機は多くの機能を実現するために多くのメニュー画面や設定画面を備え、多くの機能キーを備えたリモコンを介して、複数の操作工程を使って任意の検索を行っていた。
【０００４】
そこで、前記従来例では、さまざまな機能を、少ない画面数とシンプルなリモコンで行うために、予め設定された所定の情報に基づいて特定の番組をピックアップして１つの画面に集約して表示器に表示することを提案している。
【０００５】
しかしながら、前記従来例によれば、１つの画面で情報を把握できるものの、各検索項目の選択と決定を繰り返さなくてはならない。特に、ピックアップされた情報が多くなり、更に検索項目が多くなると上記選択と決定の繰り返し操作が多くなる。しかも、この従来例では、各項目が同等表示スペースで取り扱われているために、視認性に課題を残している。
【０００６】
そこで、この発明の目的とするところは、情報検索が容易で、かつ、視認性も良好な情報検索再生装置及びその表示方法を提供することにある。
【０００７】
【課題を解決するための手段】
前記課題を解決するために、本発明の情報検索再生装置では、コンテンツの検索と再生情報を表示する表示装置と、表示装置の検索と再生情報の表示を制御する制御装置と、制御装置に表示装置の表示操作を指示する遠隔操作装置とを備えた情報検索再生装置において、複数の映像情報をリスト状に表示するコンテンツ表示エリアと、当該コンテンツ表示エリアに表示されるコンテンツが含まれる下位階層の検索項目を選択可能に表示する第２検索エリアと、当該第２検索エリアに表示される下位階層の検索項目の上位階層の検索項目を選択可能に表示する第１検索項目エリアと、を表示装置の１つの画面に表示し、遠隔操作装置は、第１検索項目エリアに選択可能に表示される上位階層の検索項目を選択する第１検索キーと、第２検索項目エリアに選択可能に表示される下位階層の検索項目を選択する第２検索キーと、コンテンツ表示エリアに選択可能に表示されるコンテンツを選択するコンテンツ選択キーと、当該選択されたコンテンツの決定操作を実行させるコンテンツ決定キーとをそれぞれ独立して備え、前記第１検索キーの操作により、前記第１検索項目エリアでの上位階層の検索項目の選択を受け付けて、当該選択された上位階層の検索項目が選択されていることを示す表示を行い、当該選択された上位階層の検索項目の下層階層の検索項目を前記第２検索項目エリアに選択可能に表示し、第２検索キーの操作により、第２検索項目エリアでの下位階層の検索項目の選択を受け付けて、当該選択された下位階層の検索項目が選択されていることを示す表示を行い、当該選択された下位階層の検索項目の条件を備えたコンテンツを前記コンテンツ表示エリアに選択可能に表示し、コンテンツ選択キーの操作により、コンテンツ表示エリアでのコンテンツの選択を受け付けて、当該選択されたコンテンツが選択されていることを示す表示を行い、決定キーの操作により、コンテンツ表示エリアで選択されているコンテンツに予め設定されている所定の決定操作を実行させるようにする。
【０００８】
また、本発明の情報検索再生装置の表示方法では、コンテンツの検索と再生情報を表示する表示装置と、表示装置の検索と再生情報の表示を制御する制御装置と、制御装置に表示装置の表示操作を指示する遠隔操作装置とを備えた情報検索再生装置の表示方法において、表示装置の１つの表示画面に、複数の映像情報をリスト状に表示するコンテンツ表示エリアと、当該コンテンツ表示エリアに表示されるコンテンツが含まれる下位階層の検索項目を選択可能に表示する第２検索エリアと、当該第２検索エリアに表示される前記下位階層の検索項目の上位階層の検索項目を選択可能に表示する第１検索項目エリアとを表示し、遠隔操作装置に設けた第１検索キーの操作に基づいて、第１検索項目エリアに表示される上位階層の検索項目の選択を受け付けて、当該選択された上位階層の検索項目が選択されていることを示す表示を行うとともに、第１検索項目エリアで選択される上位階層の検索項目に該当する下層階層の検索項目を第２検索項目エリアに表示し、かつ、コンテンツ表示エリアには、第２検索項目エリアで選択されている下位階層の検索項目に該当する下層階層のコンテンツをリスト表示し、遠隔操作装置に設けた第２検索キーの操作に基づいて、第２検索項目エリアに表示される下位階層の検索項目の選択を受け付けて、当該選択された下位階層の検索項目が選択されていることを示す表示を行うとともに、第２検索項目エリアで選択されている下位階層の検索項目に該当する下層階層のコンテンツをコンテンツ表示エリアにリスト表示し、遠隔操作装置に設けたコンテンツ選択キーの操作に基づいて、コンテンツ表示エリアに表示されているコンテツンツの選択を受け付けて、当該選択されたコンテンツが選択されていることを示す表示を行い、遠隔操作装置に設けたコンテンツ決定キーの操作に基づいて、コンテンツ表示エリアで選択されているコンテンツに予め設定された所定の決定操作を実行するようにする。
【００１０】
【発明の実施の形態】
以下、図１から図９を参照して、本発明に係る情報検索再生装置とその表示方法の実施の形態を詳細に説明する。この実施の形態では、大容量の記憶装置を備えたテレビジョン受像機に適用したものを開示している。
【００１１】
先ず、図１を参照して、このテレビジョン受像機１の概略構造を説明する。図１は、この実施の形態に係るテレビジョン受像機の概略構成図である。
【００１２】
図１において、符号１で示すテレビジョン受像機は、本体１００と、モニタ２００と、リモコン３００とを含んで構成される。前記本体１００は、テレビチューナや大容量の記憶装置を内蔵して、このテレビジョン受像機１の中核をなすものである。前記モニタ２００は、前記本体１００とコードを介して接続され、前記本体１００で生成される画像を表示装置２０１に表示する。この実施の形態では、このモニタ２００に設けられる表示装置２０１の両側にスピーカ２０２を備えたものを採用している。しかし、これに限定されるものではなく、スピーカ別体のものや、テレビチューナを内蔵したテレビジョン受像機でもよい。前記リモコン３００は、例えば、赤外線信号を介して前記本体１００の図示しない赤外線受光部に操作信号を送信して、このテレビジョン受像機１の操作を統括的に操作することができる。
【００１３】
前記本体１００には、コードを介してアンテナ５０を接続することで、一般的な地上波放送を受信することができるし、衛星放送アンテナを接続すれば衛星放送を受信できる。更に、ケーブルテレビなどとも接続することができる。また、この実施の形態ではデジタル放送に対応した機構を備えている。したがって、前記放送を通じてテレビ画像信号の他に番組情報（ＥＰＧ）などの各種情報を受信して、これを内蔵した記憶装置に格納し、これらの情報から各種検索を行うことができる。
【００１４】
この他、図１に示すように、この実施の形態では、パーソナルコンピュータ（以下パソコンという）４００や、内部に画像記憶メモリ素子を備えたデジタルカメラ４５０とＵＳＢ端子で接続することもできる。これにより、本体１００の大容量記憶装置に格納されたデータを前記パソコン４００からも読み取ることができる。更に、前記デジタルカメラ４５０をＵＳＢ端子で簡単に接続することにより、前記画像記憶メモリ素子に格納された画像を前記モニタ２００に表示することができる。
【００１５】
そして、この実施の形態の大きな特徴は、放送番組や前記大容量記憶装置に記憶されたコンテンツ情報を簡単に、かつ視認性よく検索して所望のコンテンツを抽出することができる情報検索方法を採用した点にある。図１のモニタ２００には、この情報検索方法の代表的な番組表示画面８００を図示している。
【００１６】
この実施の形態では、図５に示すように、情報検索を含む操作全体をツリー構造で構成し、このツリー構造により情報検索や各種の設定を行うことができる。そして、この実施の形態では、情報検索に必要な第２の階層から第４の階層を図１に示す１つの画面（番組表示画面８００）に表示することで、検索における画面の切り替えをなくして操作性や視認性の向上を図っている。
【００１７】
この実施の形態では、表示画面８００の最上部に帯状の第２の検索項目エリア８１０を設け、その下部に帯状の第３の検索項目エリア８２０を設け、その下部に選択対象のコンテンツ選択エリア８３０を設けている。例えば、図１の表示例では、第１の階層の選択を行うメニュー画面５００（図４参照）から「番組表」５０４が選択された番組表示画面８００（詳細は図６参照）を示している。この場合、第２の検索項目エリア８１０に「ｃｈ別」「ジャンル別」「登録出演者別」などの最初の検索項目が表示され、第３の検索項目エリア８２０には、選択すべきチャンネル、例えばＢＳ３０が表示され、前記コンテンツ選択エリア８３０に放送番組表がリスト状に表示される。
【００１８】
一方、前記リモコン３００には、一対の左右スクロールキー３０１と、決定キー３０２の上下、左右に十字状に配置される一対の左右スクロールキー３０３と、一対の上下スクロールキー３０４が設けられている。更に、前記コンテンツ選択エリア８３０にリスト状に表示される放送番組表を上下に画面移動させる一対の画面スクロールキー３０５が設けられている。
【００１９】
この実施形態によれば、前記左右スクロールキー３０１により、第２の検索項目エリア８１０の項目を選択することができ、この選択により、第３の検索項目エリア８２０の選択項目が変更され、この変更に伴って、前記コンテンツ選択エリア８３０の番組表が第２の検索項目エリア８１０と第３の検索項目エリア８２０で表示選択されている選択項目のａｎｄ条件を備えたコンテンツがリスト状に表示される。例えば、第２の検索項目エリア８１０でＣＨ別が選択されれば第３の検索項目エリア８２０に初期設定のチャンネルを表示させ、更に、前記コンテンツ選択エリア８３０に初期設定のチャンネルに関する放送番組を表示させることができる。
【００２０】
また、前記左右スクロールキー３０３により、第３の検索項目エリア８２０の項目を選択することができ、この選択により、前記コンテンツ選択エリア８３０のコンテンツのリストを選択された項目のリストに変更する。例えば、図１では、第３の検索項目エリア８２０に表示されたチャンネルを変更することができ、これにより、前記コンテンツ選択エリア８３０の表示内容が選択されたチャンネルの放送番組に変更表示される。
【００２１】
また、前記上下スクロールキー３０４により、前記コンテンツ選択エリア８３０に表示されるコンテンツを選択することができる。選択されたコンテンツは、例えば、色が変わったり、あるいは太枠で囲うなどして強調表示される。
【００２２】
また、前記画面スクロールキー３０５により、前記コンテンツ選択エリア８３０全体を上下に画面スクロールすることができる。
【００２３】
そして、前記決定キー３０２により、前記コンテンツ選択エリア８３０で選択されているコンテンツを予め設定された決定動作に移行させることができる。例えば、この番組表示画面８００では、選択されているコンテンツの番組を表示装置２０１に全画面表示する。
【００２４】
このように、この実施の形態では、前記第２、第３の検索項目エリア８１０、８２０では、左右スクロールキー３０１，３０３を操作することにより、決定キー３０２を操作することなく、それぞれ下層階層の検索項目エリアまたは前記コンテンツ選択エリア８３０の表示内容を１操作で変更することができる。これにより、操作キーの工程数を少なくすることができる。
【００２５】
一方、最終的なコンテンツの選択を行う前記コンテンツ選択エリア８３０では、上下スクロールキー３０４で選択した後に、決定すべきコンテンツを決定キー３０２の操作で決定すことができる。しかも、コンテンツが多ければ、画面スクロールキー３０５の操作で画面を切り替えて行うことができる。
【００２６】
このように、この実施の形態では、従来、選択と決定の操作の繰り返しで行っていた選択決定操作を、最終的な決定操作の１回で行うようにしているので、従来に比べて操作工程を少なくすることができるから、選択決定操作を簡単に、しかも短時間に行うことができる。
【００２７】
また、この実施の形態の番組表示画面８００では、画面の下部に詳細表示エリア８４０とサブ表示画面８５０を備えている。
【００２８】
前記詳細表示エリア８４０は、選択されたコンテンツの詳細情報を表示する詳細表示エリア８４０を備えているので、画面を切り替えることなく詳細情報を確認しながら決定操作を行うことができる。
【００２９】
また、サブ表示画面８５０は、この検索操作の前に表示している表示内容、例えば、前記メニュー画面５００の表示前に表示装置２０１に表示していた表示内容を表示するサブ表示画面８５０を備えているので、決定操作以前の表示内容を維持しながら、検索操作を行うことができる。
【００３０】
以下、図２から図９を参照して、この実施の形態に係るテレビジョン受像機１の情報検索画面を更に詳細に説明する。
【００３１】
先ず、図２を参照して、本体１００の内部装置を説明する。図２は本体１００の装置ブロック図である。
【００３２】
この実施の形態では、マイコン１０１が、前記リモコン３００の赤外線による操作指示信号をリモコン受光部１０８で受信し、この操作指示に基づいて、このテレビジョン受像機１を統括的に制御するする。
【００３３】
チューナ１０２は、電子番組ガイド情報（ＥＰＧ情報）を重複した放送波を受信できる公知のものである。この電子番組ガイド情報は、チャンネル番号、番組の放送時間、番組名、番組内容、出演者、それら複数の番組が多重化されたストリームから所望の番組を抜き出すために必要なプログラムＩＤとプログラムテーブルなどが含まれる。前記放送波は、地上波、衛星放送波、有線放送波の何れでも良い。
【００３４】
前記チューナ１０２で受信された放送波は、番組情報抽出部１０３でＥＰＧ情報とコンテンツ情報に分離され、音声再生部１０４と映像再生部１０５に出力される。音声再生部１０４は前記スピーカ２０２に出力される。映像情報は、映像再生部１０５からの映像信号と画面生成部１０７からのグラフィックデータが表示合成部１０６で合成され、前記モニタ２００に出力される。
【００３５】
この実施の形態では、大容量の記憶装置としてＨＤＤ（ハードデイスク装置）１０９と、ＤＶＤ（デジタルビデオデイスク装置）１１０を備えている。そして、この実施の形態では、ＤＶＤ１１０やＨＤＤ１０９に格納されたコンテンツの再生はもちろんのこと、放送波で受信したコンテンツをＤＶＤ１１０やＨＤＤ１０９に格納することができ、また、ＤＶＤ１１０とＨＤＤ１０９の間で相互にダビングを行うことができる。
【００３６】
この実施の形態では、ＤＶＤ１１０やＨＤＤ１０９の格納に際し、検索情報を同時に格納することができる。そして、この実施形態では、前記検索情報やＥＰＧ情報から各種の検索を行って、その検索結果に基づいて、検索した放送波やＤＶＤ１１０あるいはＨＤＤ１０９に格納したコンテンツを表示したり、あるいは、放送波のコンテンツを録画（予約録画を含む）したり、ダビングなどを行うことができる。
【００３７】
また、この実施の形態では、外部インターフエイス部１１１にＵＳＢ端子を備えている。これにより、他の増設記憶装置を接続することができる。例えば、内部に画像記憶メモリ素子を備えたデジタルカメラ４５０との接続では、従来のように、デジタルカメラ４５０から記憶メモリ素子を備えた媒体を取り外して、これを読取装置で再生することなく、デジタルカメラ４５０にＵＳＢ端子を接続するだけで、このデジタルカメラ４５０の画像記憶メモリ素子をマイコン１０１の管轄下において、同メモリ素子内の画像を再生したり、あるいは読み出して、ＨＤＤ１０９やＤＶＤ１１０に格納することができる。
【００３８】
また、この実施の形態では、外部インターフエイス部１１１にパソコン４００との接続インタフエイスを取り付けて、これを本体１００内に収めることができる。接続のインターフエイスとしては、モデムやＬＡＮボードがある。ＬＡＮボードを接続した場合は、マイコン１０１が備えている前記本体１００の統括制御権をパソコン４００に移すことができる。したがって、この本体１００が備えているＨＤＤ１０９やＤＶＤ１１０を、パソコン４００から自由に制御することができるので、一々、ＨＤＤ１０９やＤＶＤ１１０に格納された内容をパソコン４００にダウンロードする必要がないので便利である。
【００３９】
次に、図３を参照してリモコン３００を説明する。図３はリモコンの操作面を示している。図３において、リモコン３００は、扁平な箱状本体の長手方向の一端側（図面上部側）に図示しない赤外線発信部を備え、前記本体の広い一面側に複数の操作キーを備えている。
【００４０】
図３において、３１０はテレビジョン受像機１の電源キーである。３１１はＤＶＤ１１０の開閉テーブルの開閉キーである。３１２はフアンクションキー群であり、この中の１つに、前記一対の左右キー３０１と、メニュー画面５００を表示させるメニューキー３１３が配置されてる。３１４は機能キーであり、後述するように、コンテンツ選択エリア８３０で選択されたコンテンツについて実行処理するためのウインドウを表示させる。３１５は処理画面を元の状態に戻す戻りキーである。３１６は、ダイレクトキー群であり、メニュー画面５００の中で使用頻度の高いＤＶＤと番組表とＨＤＤについてのダイレクトキーからなる。このダイレクトキーは、例えば、ＤＶＤは緑色、番組表は紫色、ＨＤＤは青色に色分けして着色されており、それぞれのキーを選択したときに表示される表示画面はダイレクトキーの色に合った色調で表示される。このダイレクトキー群３１６の操作によりメニュー画面５００を飛び越えて、次の各画面を表示させることができる。
【００４１】
３１７はチューナ１０２の選局送戻キー、３１８は音量キー、３１９はＴＶ切替えキー、３２０は予約一覧ダイレクトキー、３２１はＨＤＤ、ＤＶＤ録画再生キー群、３２２はモニタ２００を他のテレビジョン受像機とした場合の操作キー群、３２３はチューナ１０２の選局キー群である。
【００４２】
次に、図４を参照して、この実施の形態のテレビジョン受像機１が備えている各種機能の概要を説明する。図４はこの実施の形態のメニュー画面５００と、このメニュー画面５００の下層の第１階層の表示画面を説明した画面遷移図である。
【００４３】
図４において、この実施の形態では、各種の操作や設定をメニュー画面５００から設定することができる。このメニュー画面５００は、リモコン３００のメニューキー３１３が操作されるとマイコン１０１がメモリ１１２から画像を呼び出して表示させる。メニュー画面５００は最上部にタイトルバー５２０を備え、この画面がメニュー画面であることを表示する。この実施の形態では、各画面ともこのタイトルバー５２０を上部に表示して、当該画面のタイトルを表示している。
【００４４】
また、最下部には、このメニュー画面５００で操作可能なキーを示す操作キー表示部５１０を備えている。この操作キー表示部５１０には、リモコン３００の各キートップに表記されたマークが表示され、現在操作可能なキーを一目で分かるようにしている。この実施の形態では、この操作キー表示部５１０を各表示画面の下部に備えることで、どの表示画面においても、当該画面で操作可能なキーを一目で分かるようにしている。
【００４５】
そして、このメニュー画面５００の中央にこのメニュー画面５００の下層の第１階層選択エリア５１１が設けられている。この実施例では、第１階層の選択項目として９個用意されてる。５０１はＨＤＤ表示画面６００を表示させる選択項目、５０２はＤＶＤ表示画面７００を表示させる選択項目、５０３はＴＶ画面９６０を全画面表示する選択項目、５０４は前記番組表示画面８００を表示させる選択項目、５０５はダビング表示画面９００を表示させる選択項目、５０６はデジタルカメラ表示画面９５０を表示させる選択項目、５０７はサーバモード表示画面９８０を表示させる選択項目、５０８は各種設定表示画面９７０を表示させる選択項目、５０９は実行停止表示画面９６５を表示させる選択項目である。前記したように、この実施の形態では、ダイレクトキー群３１６に利用頻度の高いＤＶＤ、番組表、ＨＤＤのダイレクトキーを備えて、このキーが操作されるとマイコン１０１はメニュー画面５００を表示することなく、各第２階層画面を表示する。
【００４６】
前記ＨＤＤ表示画面６００やＤＶＤ表示画面７００では、ＨＤＤまたはＤＶＤに格納されたコンテンツを検索して、これを再生することができる。前記番組表示画面８００では、番組表からコンテンツを検索して、この放送を視聴したり、あるいは検索したコンテンツを録画予約したりすることができる。前記ＨＤＤ表示画面６００とＤＶＤ表示画面７００は、これから詳細に説明する前記番組表示画面８００と同様な画面レイアウトを備えているので詳細な説明を省略する。
【００４７】
ダビング表示画面９００では、ＨＤＤ１０９からＤＶＤ１１０へのダビングと、ＨＤＤ１０９からＨＤＤ１０９へ再記録と、ＤＶＤ１１０からＨＤＤ１０９へのダビングを選択することができる。ここで、前記ＨＤＤ１０９の再記録は、容量や画質サイズの変更などである。デジタルカメラ表示画面９５０では、デジタルカメラ４５０に格納された内容をコンテンツ選択エリア８３０に格子状にサムネール表示して、これを選択して、これを全画面表示したり、あるいは、各種の画像処理を行うことができる。
【００４８】
また、メニュー画面５００の選択項目５０７を選択操作すると、前記マイコン１０１の制御権をパソコン４００に移すので、リモコン３００からの操作信号を受けてもマイコン１０１は動作しなくなる。このため、前記制御権をマイコン１０１に取り戻すための操作として、サーバモード表示画面９８０には、決定キー３０２の操作キーボタンが表示される。
【００４９】
各種設定表示画面９７０では、各種設定を行う選択項目が複数短冊状に表示され、この選択により、下層の操作設定画面を表示することができる。
【００５０】
前記実行停止表示画面９６５は、予約録画を中止させる画面である。従来のＶＴＲやＤＶＤなどの予約録画を行う装置は、この予約録画が優先して処理されるため、一端予約録画に移行すると、これを中止することを簡単にできなくしている。例えば、従来例では、複数の操作キーの組合わせや隠しキーの操作で、予約画像を中止するようにしているが、この操作を忘れてしまい、マニュアルなどを見るなどして戸惑うことがある。この実施の形態では、これを簡単に、かつ誤操作することなく行わせるために、メニュー画面５００に選択項目５０９を備えて階層画面で中止するようにしている。この実施の形態では、前記実行停止表示画面９６５に録画中止ボタンと、注意ガイダンスを表示して、前記目的を達成している。
【００５１】
次に、図５を参照して、この実施の形態の画面遷移の構造を説明する。図５は、この実施の形態の画面遷移のツリー構造を示したものである。この実施の形態では、メニュー画面５００から複数の表示画面に分岐され、更に、その分岐された表示画面から更に分岐していくツリー構造の分岐画面方式を採用している。図５は、このツリー構造の画面遷移の構造を示している。中央に代表的な画面遷移を示し、上部に検索階層を、下部に画面数を示している。この実施の形態では、情報検索が容易で、かつ、視認性も良好な情報検索を実現するために、特に検索項目が多いＨＤＤ、ＤＶＤ、番組の項目について、工夫を凝らしている。
【００５２】
その工夫は、情報検索の検索項目となる第２階層と第３階層と第４階層を、第２階層の１つの検索画面で行うことである。この実施の形態では、第１階層画面であるメニュー画面５００で、目的に対応した第２階層画面に切り替え、この第２階層画面から、検索したコンテンツの再生や機能の設定、あるいは更なる機能設定画面である第３階層画面に移行させるようにしている。
【００５３】
特に、番組を代表とするＨＤＤやＤＶＤでは、番組表や検索情報から、任意の条件を設定して、これに対応したコンテンツを抽出して、このコンテンツの再生や記録あるいは情報修正などが必要であるため、前記画面遷移を採用している。
【００５４】
以下、検索項目の多い代表的な番組表示画面８００を事例にして、この実施の形態の画面遷移を、図５を元に図３と図６から図９を参照して説明する。図６は番組表示画面８００の画面図である。図７は機能ウインドウを表示した番組表示画面８００の画面図、図８は番組予約を行う番組予約ウインドウの画面図、図９は出演者登録ウインドウの画面図である。
【００５５】
先ず、マイコン１０１は、前回電源ＯＦＦ時のモニタ２００の表示状態をメモリに記憶し、リモコン３００の電源３１０の操作信号を常に監視している。マイコン１０１は、前記電源３１０の電源ＯＮ信号を受けると、前記メモリを検索して前回終了時のモニタ２００の状態を再現する。例えば、前回テレビ放送を再生していれば、当該テレビ放送のチャンネルで現在受信中の放送波をチューナで１０２で受信してモニタ２００に表示する。このチャンネルは、リモコン３００の選局送戻キー３１７あるいは選局キー群３２３で変更することができる。この状態で、メニューキー３１３が操作されると、マイコン１０１はメモリからメニュー画面５００を呼び出してモニタ２００に表示する。このメニュー画面５００は、リモコン３００の上下スクロールキー３０４と左右スクロールキー３０３で９つの第１階層の選択項目の中から１つを選択することができる。前記第１階層の選択項目は、選択されると太枠表示や色を変化させる強調表示が行われる。そして、リモコン３００の決定キー３０２の操作信号を受けると、マイコン１０１は、強調表示されている第１階層の選択項目の下位の階層である第２階層画面をモニタ２００に表示させる。ここで、機能キー３１４の操作信号を受けると、マイコン１０１はメニュー画面５００を閉じて、基の表示状態に戻す。ここでは、番組表５０４が選択されたとして以下説明する。なお、前記したようにダイレクトキー群３１６の操作で移行させても良い。
【００５６】
番組表５０４が選択されると、マイコン１０１はモニタ２００に図６に示す番組表示画面８００を表示させる。この表示画面はダイレクトキー３１６の番組表キーの色、例えば、紫色に合った色調で表示される。この実施の形態では、番組表示画面８００の第２階層の選択項目の選択により、第３階層の選択項目の種別を選択することができる。この実施の形態では、番組表示画面の第２階層を、放送局のチャンネルに設定するｃｈ別と、ドラマや音楽などのジャンルに設定するジャンル別と、ＥＰＧ情報やＤＶＤなどの検索情報に含まれる出演者別に設定する登録出演者別と、個別に作成した出演者別に設定する個別出演者別と、予約登録されているコンテンツを抽出する予約一覧が設定されている。
【００５７】
この第２階層の選択項目は、第２の検索項目エリア８１０に表示され、リモコン３００の一対の左右スクロールキー３０１で選択される。マイコン１０１は、一対の左右スクロールキー３０１の操作信号を受けると、括弧マークを移動させて、移動した括弧マークの選択項目が選択されている表示を行う。図６はｃｈ別が選択されていることを示している。
【００５８】
この実施の形態では、ｃｈ別の第３階層の選択項目として、ＡチャンネルやＢチャンネルなどの放送局が設定されている。この第３階層の選択項目は第３の検索項目エリア８２０に表示される。この実施の形態では、チャンネルが複数あるので、選択されたチャンネルのみ第３の検索項目エリア８２０に表示し、左右に矢印を表記して、選択項目が他にあることを表示している。マイコン１０１はリモコン３００に設けた一対の左右スクロールキー３０３の操作信号を受けると、操作された移動方向に対応して第３の検索項目エリア８２０の表示内容を変更して、当該表示内容を第３の選択条件とする。
【００５９】
このように、マイコン１０１は、第３の検索項目エリア８２０の表示内容を、第２階層を操作する一対の左右スクロールキー３０１の操作に伴って変化させ、更に、第３の階層を操作する一対の左右スクロールキー３０３の操作を受けて独自に変更させる。なお、左右スクロールキー３０１の操作に伴って変化する場合は、第３の階層を予め設置された初期値を表示させることでも良いが、前回設定時の内容をメモリに記憶させるようすることにより、操作者の操作の癖に馴染ませて操作工数を少なくすることができる。
【００６０】
この番組表示画面８００では、第４階層として最終的に検索されるコンテンツが設定されている。この実施の形態では、マイコン１０１が、前記第２、第３の選択条件に合致するするコンテンツをメモリ１１２に格納されたＥＰＧ情報から抽出して、この抽出結果を前記コンテンツ選択エリア８３０にリスト形式で表示する。このリストはコンテンツの種別を示すマーク、放送日時、チャンネル、番組名、長さなどが1行に表示され、このコンテンツが上下にリストアップされている。
【００６１】
前記マイコン１０１は一対の上下スクロールキー３０４の操作信号を受けると、操作された方向に選択を表す強調表示を移動させる。また、一対の画面スクロールキー３０５の操作信号を受けると、前記コンテンツ選択エリア８３０全体を上下に画面スクロールする。このコンテンツ選択エリア８３０全体の片側には上下スクロールバーが表示され画面スクロール可能な方向が表示される。
【００６２】
また、マイコン１０１は、前記コンテンツ選択エリア８３０で選択され強調表示されているコンテンツの詳細情報を詳細表示エリア８４０に表示する。このため、使用者は、この詳細情報を見ながら決定すべきコンテンツを選択することができる。この実施の形態では、決定キー３０２を操作しない限り、次の表示画面への移行を行わない。したがって、使用者は、前記３対のスクロールキーで選択決定すべきコンテンツを選択して、これを詳細画面で確認しながらリモコン３００の決定キー３０２を操作することで次の工程へ移行させることができる。
【００６３】
また、この番組表示画面８００では、メニュー画面５００以前の表示画面がサブ画面８４５に表示されるので、他の放送番組を見ながら次に見たい番組を選択することができる。更に、操作キー表示部５１０には、この表示画面で操作可能なリモコン３００の操作キーが表示されるので、誤操作や操作の戸惑いを軽減することができる。
【００６４】
このように、この実施の形態に係る番組表示画面８００では、最上部の片側に第1階層のタイトルが表示され、その片側に、この第1の階層の下位階層である第2の階層の選択項目が表示され、更に、この下方に、第3の階層の選択項目、更にその下方に最終的に選択すべき第4の階層のコンテンツが表示されるので、階層構造が上方から下方にしたがって配列されるので、ツリー構造を視覚的に認識しやすい効果がある。しかも、最終的に選択すべきコンテンツを大きなスペースを備えたコンテンツ選択エリア８３０にリスト形式で表示し、他の上位階層を1行表示として小さく取り扱っているので、視認性が良好である。
【００６５】
そして何より、この実施の形態の大きな特徴は、決定キー３０２を１回の操作とし、この決定操作に至る各上位階層の選択キー（スクロールキー）は、下位階層の表示を順次切り替えるようにした点である。したがって、この実施の形態では、上位階層の数だけ必要だった決定操作を１回にすることができるので、操作工数を大きく削減することができる。
【００６６】
さらに、表示画面がダイレクトキーの色に合った色調で表示されるので、ユーザーは現在表示されている画面が、どのメニュー（ＤＶＤ、番組表、ＨＤＤのいずれか）であるかを認識しやすい。
【００６７】
次に、機能キー３１４について説明する。この実施の形態では、ＨＤＤとＤＶＤと番組表などの情報検索が必要な検索画面の第３階層画面をウインドウ形式にした点に大きな特徴がある。この実施の形態では、前記番組表示画面８００で決定キー３０２を操作することで、コンテンツ選択エリア８３０で選択されているコンテンツを表示装置２０１に全画面表示を行う。
【００６８】
しかし、この状態で、リモコン３００の機能キー３１４の操作信号を受けると、マイコン１０１は、現在選択中のコンテンツに対して処理可能な機能を備えた図７に示す機能ウインドウ８５０を表示する。この機能ウインドウ８５０はコンテンツ選択エリア８３０の片側に埋め込まれる位置に表示される。そして、この機能ウインドウにリスト形式で表示される選択項目を、前記上下スクロールキー３０４や画面スクロールキー３０５で選択を受付、決定キー３０２で当該選択された機能に移行する。
【００６９】
例えば、図７で録画予約が選択されると、マイコン１０１は図８に示す番組予約ウインドウ８６０を更に前記番組表示画面８００に重ねて表示する。この番組予約ウインドウ８６０では、チャンネル、日付、開始（時間）、終了（時間）に選択されたコンテンツの値が表示され、画質、延長、更新に初期値が設定されている。このそれぞれの値は、左右スクローキー３０３で選択して上下スクロールキー３０４で変更することができる。そして、設定が選択されて決定キー３０２が操作されれば、マイコン１０１は、この予約情報をメモリに記録して、所定時間になると、ＨＤＤ１０９に録画を開始する。
【００７０】
一方、図９は、機能ウインドウ８５０から出演者登録が選択されて表示される出演者登録ウインドウ８７０を示している。この出演者の登録では、ＥＰＧ情報などに含まれる選択されたコンテンツの出演者がリスト形式で表示される。この出演者は、前記上下スクロールキー３０４や画面スクロールキー３０５で選択を受付、決定キー３０２で当該出演者をメモリに格納されている個別出演者リストに追加する。ここで、８７１は画面スクロール表示部、８７２はリモコンの戻キー３１５で終了する戻るボタン表示である。
【００７１】
このように、この実施の形態では、第3階層画面である機能設定画面をウインドウ形式で第2階層の検索画面に重ね表示するので、画面切り替えによる使用者の戸惑いを軽減して操作性や視認性を向上させることができる。
【００７２】
なお、以上の説明では、番組表示画面での実施例を説明したが、ＨＤＤやＤＶＤの表示画面でも同様な手法で画面遷移を行って、同様な作用効果を得ることができる。
【００７３】
また、前記機能ウインドウ８５０から選択されるウインドウとして図示しない文字入力ウインドウを表示することができる。この文字入力ウインドウでは、あいうえおキーや英字キーなどが複数表示され、これ用いてウインドウ内の選択文字表示エリアに入力し、あるいは選択文字表示エリア内で入力した文字を漢字変換して、一端前記選択文字表示エリア内で編集し、この文字列を第2階層画面などに入力することができる。
【００７４】
更に、以上の実施の形態では、第1階層にメニュー画面５００を表示したが、このメニュー画面を省略して、各階層を1階層格上げしたツリー構造としても良い。
【００７５】
【発明の効果】
本発明によれば、情報検索が容易で、かつ、視認性も良好な情報検索再生装置及びその表示方法を提供することができる。
【図面の簡単な説明】
【図１】この発明に係る係るテレビジョン受像機の概略構成図である。
【図２】この発明に係る係るテレビジョン受像機の本体装置ブロック図である。
【図３】この発明に係る係るテレビジョン受像機のリモコンの外観図である。
【図４】この発明に係る係るテレビジョン受像機のメニュー画面と、下層の第１階層の表示画面を説明した画面遷移図である。
【図５】この発明に係る係るテレビジョン受像機の画面遷移のツリー構造図である。
【図６】この発明に係る係るテレビジョン受像機の番組表示画面図である。
【図７】この発明に係る係るテレビジョン受像機の機能ウインドウを表示した番組表示画面図である。
【図８】この発明に係る係るテレビジョン受像機の番組予約を行う番組予約ウインドウの画面図である。
【図９】この発明に係る係るテレビジョン受像機の出演者登録ウインドウの画面図である。
【符号の説明】
１…テレビジョン受像機、１００…本体、１０１…マイコン、２００…モニタ、２０１…表示装置、３００…リモコン、３０１…左右スクロールキー、３０２…決定キー、３０３…左右スクロールキー、３０４…上下スクロールキー、３０５…画面スクロールキー、５００…メニュー画面、５０４…番組表、８００…表示画面（番組表示画面）、８１０…第２の検索項目エリア、８２０…第３の検索項目エリア、８３０…コンテンツ選択エリア。
【図１】
0004815096.tif 000002
【図２】
0004815096.tif 000003
【図３】
0004815096.tif 000004
【図４】
0004815096.tif 000005
【図５】
0004815096.tif 000006
【図６】
0004815096.tif 000007
【図７】
0004815096.tif 000008
【図８】
0004815096.tif 000009
【図９】
0004815096.tif 000010